(57)【要約】【課題】  保護板部材の内側における球詰まりを防止することが可能な遊技機の提供【解決手段】  本実施形態のパチンコ遊技機１０によれば、保護板部材１０１と回動扉１０５の先端との間の距離が、遊技球の半径以上かつ直径未満となったときに、扉作動装置１１２が回動扉１０５に付与する力が、遊技球が自重により回動扉１０５に付与する力より大きくなるように回動扉１０５の回動半径Ｌを設定したので、中間姿勢の回動扉１０５の先端に遊技球が乗り上がっても、回動扉１０５は確実に閉塞姿勢まで回動する。これにより、保護板部材１０１の内側における球詰まりを防止することができる。【選択図】  図７
2008296058.tif 000002
【特許請求の範囲】
【請求項１】
略鉛直に起立した遊技板と、
前記遊技板の前方に間隔を開けて対向配置されたクリア部材と、
前記遊技板に形成されて、前方に向かって開放した入賞口と、
前記遊技板と前記クリア部材との間に配置されかつ前記入賞口の前方を覆い、前記遊技板との間に遊技球が通過可能な空間を有した保護板部材と、
前記入賞口の下辺側に回動中心を有し、前記入賞口を閉じた閉塞姿勢と、前記保護板部材側に倒れて前記入賞口を開放した開放姿勢との間で回動可能であると共に、前記開放姿勢になったときに遊技球を前記入賞口に案内可能な回動扉と、
前記回動扉を前記閉塞姿勢と前記開放姿勢との間で回動させるための作動手段とを備えた遊技機において、
前記回動扉が、前記閉塞姿勢から前記開放姿勢に向かう中間姿勢となりかつ、前記保護板部材と前記回動扉の先端との間の距離が、遊技球の半径以上かつ直径未満となったときに、前記作動手段が前記回動扉に付与する力と、遊技球が自重により前記回動扉に付与する力とのうち一方が必ず他方より大きくなるように、前記回動扉の回動半径を設定したことを特徴とする遊技機。
【請求項２】
前記回動扉と水平面とがなす回動角をθとし、
前記回動扉の回動半径をＬとし、
遊技球の質量をＭとし、
前記作動手段が前記回動扉に付与可能な最大のトルクをＴとし、
重力加速度をｇとした場合に、
前記回動扉が、前記閉塞姿勢から前記開放姿勢に向かう中間姿勢となりかつ、前記保護板部材と前記回動扉の先端との間の距離が、遊技球の半径以上かつ直径未満となったときに、
Ｌ＜Ｔ／（Ｍ・ｇ・ｃｏｓθ）  
、の関係式が成立するように、前記回動扉の回動半径Ｌを設定したことを特徴とする請求項１に記載の遊技機。
【請求項３】
前記回動扉と水平面とがなす回動角をθとし、
前記回動扉の回動半径をＬとし、
遊技球の質量をＭとし、
前記作動手段が前記回動扉に付与可能な最大のトルクをＴとし、
前記回動扉と遊技球との間の摩擦係数をμとし、
重力加速度をｇとした場合に、
前記回動扉が、前記閉塞姿勢から前記開放姿勢に向かう中間姿勢となりかつ、前記保護板部材と前記回動扉の先端との間の距離が、遊技球の半径以上かつ直径未満となったときに、
Ｌ＜Ｔ／（μ・Ｍ・ｇ・ｓｉｎθ）
、の関係式が成立するように、前記回動扉の回動半径Ｌを設定したことを特徴とする請求項１又は２に記載の遊技機。
【請求項４】
前記回動扉の先端と前記保護板部材との間の距離が遊技球の直径以上になったときの所定の位置で前記回動扉と水平面とがなす回動角をθ１とし、
前記回動扉の回動半径をＬとし、
遊技球の質量をＭとし、
前記作動手段が前記回動扉に付与可能な最大のトルクをＴとし、
重力加速度をｇとした場合に、
Ｌ＝Ｔ／（Ｍ・ｇ・ｃｏｓθ１）
が成立するように構成したことを特徴とする請求項１に記載の遊技機。
【請求項５】
前記作動手段は、電力を受けて作動し、前記回動扉を前記閉塞姿勢から前記開放姿勢に向けて回動させることが可能な電動駆動部と、
前記回動扉が前記閉塞姿勢から前記開放姿勢に向かって回動したときに弾性変形し、その弾発力により前記回動扉を前記開放姿勢から前記閉塞姿勢に回動させることが可能な弾性駆動部とを備えたことを特徴とする請求項１乃至４の何れかに記載の遊技機。
【請求項６】
前記クリア部材と前記保護板部材との間隔を、前記遊技球の半径未満にしたことを特徴とする請求項１乃至５の何れかに記載の遊技機。
【請求項７】
前記保護板部材と前記遊技板との距離を、遊技球の直径の２倍より小さくしたことを特徴とする請求項１乃至６の何れかに記載の遊技機。
【請求項８】
前記回動扉は、前記閉塞姿勢から前記開放姿勢に向かって所定の角度まで前記作動手段から受けた力により回動し、前記所定の角度から前記開放姿勢まで前記回動扉の自重により回動するように構成したことを特徴とする請求項１乃至７の何れかに記載の遊技機。
【請求項９】
前記保護板部材は透明であることを特徴とする請求項１乃至８の何れかに記載の遊技機。
【発明の詳細な説明】
【技術分野】
【０００１】
本発明は、入賞口を開閉するための回動扉を備えた遊技機に関する。
【背景技術】
【０００２】
図１０に示した従来のパチンコ遊技機１に備えた回動扉２は、通常は、回動中心３から起立した閉塞姿勢になって大入賞口４を閉じ、遊技が大当たりになると前方に倒れた開放姿勢になって大入賞口４を開放しかつ遊技球を大入賞口４に案内する。また、大入賞口４の前方には、保護板部材５が設けられている。この保護板部材５がないと、図１１に示すように開放状態の回動扉２の先端と前面ガラス６との間に遊技球が噛み込まれて、回動扉２が開放姿勢から動かなくなる事態が起こり得る。これに対し、保護板部材５を設けて、開放姿勢の回動扉２の先端と保護板部材５との間隔を、遊技球の直径より十分に小さくすることで、上記した遊技球の噛み込みを防止していた（例えば、特許文献１参照）。
【特許文献１】特開平１１−２０６９７１号公報（段落［００３１］、第４図）
【発明の開示】
【発明が解決しようとする課題】
【０００３】
ところで、上記した保護板部材５を設けたものでは、回動扉２が、閉塞姿勢から開放姿勢に向かう中間姿勢となりかつ、保護板部材５と回動扉２の先端との間の距離が遊技球の半径以上かつ直径未満となったときに、図１２に示すように、回動扉２の先端に遊技球が乗り上がった状態で回動扉２が停止し、遊技球が保護板部材５の内側に詰まる事態が生じていた。
【０００４】
なお、保護板部材５と回動扉２の先端との間の距離が遊技球の半径未満の場合には、遊技球が大入賞口４に入賞するので球詰まりの問題は生じ難く、保護板部材５と回動扉２の先端との間の距離が遊技球の直径以上の場合には、遊技球は回動扉２と保護板部材５との間を通過するので、やはり球詰まりの問題は生じ難かった。
【０００５】
本発明は、上記事情に鑑みてなされたもので、保護板部材の内側における球詰まりを防止することが可能な遊技機の提供を目的とする。
【課題を解決するための手段】
【０００６】
上記目的を達成するためになされた請求項１の発明に係る遊技機は、略鉛直に起立した遊技板と、遊技板の前方に間隔を開けて対向配置されたクリア部材と、遊技板に形成されて、前方に向かって開放した入賞口と、遊技板とクリア部材との間に配置されかつ入賞口の前方を覆い、遊技板との間に遊技球が通過可能な空間を有した保護板部材と、入賞口の下辺側に回動中心を有し、入賞口を閉じた閉塞姿勢と、保護板部材側に倒れて入賞口を開放した開放姿勢との間で回動可能であると共に、開放姿勢になったときに、遊技球を入賞口に案内可能な回動扉と、回動扉を閉塞姿勢と開放姿勢との間で回動させるための作動手段とを備えた遊技機において、回動扉が、閉塞姿勢から開放姿勢に向かう中間姿勢となりかつ、保護板部材と回動扉の先端との間の距離が、遊技球の半径以上かつ直径未満となったときに、作動手段が回動扉に付与する力と、遊技球が自重により回動扉に付与する力とのうち一方が必ず他方より大きくなるように、回動扉の回動半径を設定したところに特徴を有する。
【０００７】
請求項２の発明は、請求項１に記載の遊技機において、回動扉と水平面とがなす回動角をθとし、回動扉の回動半径をＬとし、遊技球の質量をＭとし、作動手段が回動扉に付与可能な最大のトルクをＴとし、重力加速度をｇとした場合に、回動扉が、閉塞姿勢から開放姿勢に向かう中間姿勢となりかつ、保護板部材と回動扉の先端との間の距離が、遊技球の半径以上かつ直径未満となったときに、Ｌ＜Ｔ／（Ｍ・ｇ・ｃｏｓθ）、の関係式が成立するように、回動扉の回動半径Ｌを設定したところに特徴を有する。
【０００８】
請求項３の発明は、請求項１又は２に記載の遊技機において、回動扉と水平面とがなす回動角をθとし、回動扉の回動半径をＬとし、遊技球の質量をＭとし、作動手段が回動扉に付与可能な最大のトルクをＴとし、回動扉と遊技球との間の摩擦係数をμとし、重力加速度をｇとした場合に、回動扉が、閉塞姿勢から開放姿勢に向かう中間姿勢となりかつ、保護板部材と回動扉の先端との間の距離が、遊技球の半径以上かつ直径未満となったときに、Ｌ＜Ｔ／（μ・Ｍ・ｇ・ｓｉｎθ）、の関係式が成立するように、回動扉の回動半径Ｌを設定したところに特徴を有する。
【０００９】
請求項４の発明は、請求項１に記載の遊技機において、回動扉の先端と保護板部材との間の距離が遊技球の直径以上になったときの所定の位置で回動扉と水平面とがなす回動角をθ１とし、回動扉の回動半径をＬとし、遊技球の質量をＭとし、作動手段が回動扉に付与可能な最大のトルクをＴとし、重力加速度をｇとした場合に、Ｌ＝Ｔ／（Ｍ・ｇ・ｃｏｓθ１）が成立するように構成したところに特徴を有する。
【００１０】
請求項５の発明は、請求項１乃至４の何れかに記載の遊技機において、作動手段は、電力を受けて作動し、回動扉を閉塞姿勢から開放姿勢に向けて回動させることが可能な電動駆動部と、回動扉が閉塞姿勢から開放姿勢に向かって回動したときに弾性変形し、その弾発力により回動扉を開放姿勢から閉塞姿勢に回動させることが可能な弾性駆動部とを備えたところに特徴を有する。
【００１１】
請求項６の発明は、請求項１乃至５の何れかに記載の遊技機において、クリア部材と保護板部材との間隔を、遊技球の半径未満にしたところに特徴を有する。
【００１２】
請求項７の発明は、請求項１乃至６の何れかに記載の遊技機において、保護板部材と遊技板との間の距離を、遊技球の直径の２倍より小さくしたところに特徴を有する。
【００１３】
請求項８の発明は、請求項１乃至７の何れかに記載の遊技機において、回動扉は、閉塞姿勢から開放姿勢に向かって所定の角度まで作動手段から受けた力により回動し、所定の角度から開放姿勢まで回動扉の自重により回動するように構成したところに特徴を有する。
【００１４】
請求項９の発明は、請求項１乃至８の何れかに記載の遊技機において、保護板部材は透明であるところに特徴を有する。
【発明の効果】
【００１５】
［請求項１〜４の発明］
請求項１の構成によれば、保護板部材と回動扉の先端との間の距離が、遊技球の半径以上かつ直径未満となったときに、作動手段が回動扉に付与する力と、遊技球が自重により回動扉に付与する力とのうち一方が必ず他方より大きくなるように、回動扉の回動半径を設定したので、中間姿勢の回動扉の先端に遊技球が乗り上がっても、回動扉は、開放姿勢か閉塞姿勢の何れか一方に回動する。これにより、保護板部材の内側における球詰まりを防止することができる。
【００１６】
ここで、回動扉と水平面とがなす回動角をθとし、遊技球の質量をＭとし、重力加速度をｇとし、回動扉と遊技球との間の摩擦係数をμとすると、遊技球が自重により回動扉に付与する力Ｆ１は、以下の通りになる。
【００１７】
（Ａ）回動扉の先端が、遊技球の重心の略鉛直下方の位置に当接した場合（図８（Ａ）参照）は、遊技球が回動扉に付与する力Ｆ１は、下記式（１）になるか或いは下記式（１）に近似する。
Ｆ１＝Ｍ・ｇ・ｃｏｓθ  ・・・・・・（１）
【００１８】
（Ｂ）回動扉の先端が、遊技球の重心の鉛直下方からずれた位置に当接した場合（図８（Ｂ）参照）は、遊技球が回動扉に付与する力Ｆ１は、下記式（２）になるか或いは下記式（２）に近似する。
Ｆ１＝μ・Ｍ・ｇ・ｓｉｎθ  ・・・・・・・・（２）
【００１９】
また、回動扉の回動半径をＬとし、作動手段が回動扉に付与可能な最大のトルクをＴとすると、作動手段が回動扉に付与する力Ｆ２は、下記式（３）で求められる。
Ｆ２＝Ｔ／Ｌ    ・・・・・・・（３）
【００２０】
そして、請求項２の構成では、回動扉が、閉塞姿勢から開放姿勢に向かう中間姿勢となりかつ、保護板部材と回動扉の先端との間の距離が、遊技球の半径以上かつ直径未満となったときに、
Ｌ＜Ｔ／（Ｍ・ｇ・ｃｏｓθ）  ・・・・・・（４）
、の関係式が成立するように回動扉の回動半径Ｌを設定した。これにより、少なくとも、回動扉の先端が遊技球の重心の略鉛直下方に位置に当接した状態で（図８（Ａ）参照）、遊技球が保護板部材の内側に詰まることを防止することができる。
【００２１】
また、請求項３の構成では、閉塞姿勢から開放姿勢に向かう中間姿勢となりかつ、保護板部材と回動扉の先端との間の距離が、遊技球の半径以上かつ直径未満となったときに、
Ｌ＜Ｔ／（μ・Ｍ・ｇ・ｓｉｎθ）  ・・・・・・（５）
、の関係式が成立するように、回動扉の回動半径Ｌを設定した。これにより、少なくとも、回動扉の先端が、遊技球の重心の鉛直下方からずれた位置に当接した状態で（図８（Ｂ）参照）、遊技球が保護板部材の内側に詰まることを防止することができる。
【００２２】
ところで、回動扉の先端と保護板部材との間の距離が遊技球の直径以上になったときには、遊技球が回動扉と保護板部材との間を通過するので球詰まりを生じ難い。ここで、請求項４の構成では、回動扉の先端と保護板部材との間の距離が遊技球の直径以上になったときの所定の位置で回動扉と水平面とがなす回動角をθ１とした場合に、
Ｌ＝Ｔ／（Ｍ・ｇ・ｃｏｓθ１）  ・・・・・（６）
、の関係式が成立するように構成したので、球詰まりを生じ難い姿勢では、作動手段から回動扉に過剰にトルクを付与することを防ぐことができる。
【００２３】
［請求項５の発明］
請求項５の構成によれば、電動駆動部によって、回動扉を閉塞姿勢から開放姿勢に向けて回動させることができる。また、弾性駆動部によって、回動扉を開放姿勢から閉塞姿勢に回動させることができる。
【００２４】
［請求項６の発明］
請求項６の構成によれば、クリア部材と保護板部材との間隔を、遊技球の半径未満にしたので、クリア部材と保護板部材との間への遊技球の進入を防ぐと共に、遊技球が保護板部材に乗り上がりかつクリア部材に当接した場合に、その遊技球の重心が保護板部材より遊技板側に位置して遊技球が転落し、保護板部材に乗り上がった状態で保持されることを防止することができる。
【００２５】
［請求項７の発明］
請求項７の構成によれば、保護板部材と遊技板との間の距離を、遊技球の直径の２倍より小さくしたので、保護板部材と遊技板との間に２つ以上の遊技球が並んで保護板部材の内側に進入することを規制し、保護板部材と遊技板との間に、２つの遊技球が相互に当接した状態で球詰まりが生じるのを防止することができる。
【００２６】
［請求項８の発明］
請求項８の構成によれば、回動扉が、閉塞姿勢から開放姿勢に向かう過程において、回動扉が回動するために作動手段からの力を必要とする範囲を、閉塞姿勢から所定の角度までに限定したので、作動手段における可動部分又は可動範囲を小さくして、作動手段のコンパクト化を図ることができる。
【００２７】
［請求項９の発明］
請求項９の構成によれば、保護板部材を介して入賞口を開閉する回動扉が見えるので、遊技者が遊技状況を把握することができる。
【発明を実施するための最良の形態】
【００２８】
本発明を適用したパチンコ遊技機１０に係る一実施形態を、図１〜図８に基づいて説明する。図３に示すように、本実施形態のパチンコ遊技機１０は、遊技機本体８１を枠体８０に脱着可能に組み付けてなる。枠体８０は、外枠８２に前面枠９０を回動可能に備えてなる。外枠８２は、４つの木製の長板８３を縦長矩形状に接合して構成されており、外枠８２のうち両側辺を構成する長板８３の下端部の間には、前面板８４が差し渡され、その前面板８４の下縁部が、下辺を構成する長板８３に接合されている。
【００２９】
外枠８２のうち一方の側辺には、その上下の２箇所に、金属製のヒンジ片８５，８５が取り付けられている。また、外枠８２のうちヒンジ片８５と反対側の側辺を構成する長板８３には、その上端寄りと下端寄りの内面の２箇所に、１対の被係止部８６，８６が取り付けられている。なお、外枠８２のうちヒンジ片８５を備えた側の外側面には、図１に示すように、プリペイドカードユニット９９が取り付けられている。
【００３０】
図３に示すように、前面枠９０は、例えば、合成樹脂で構成され、外枠８２の前面のうち前面板８４より上方部分に対応した矩形構造になっている。前面枠９０の一方の側辺には、その上下の２箇所に、金属製のヒンジ片９１，９１が備えられ、これら各ヒンジ片９１と前記外枠８２に設けた各ヒンジ片８５とを重ねて、ヒンジピン９２を貫通させてある。これにより、前面枠９０が、外枠８２に対して開閉可能となる。
【００３１】
前面枠９０には、遊技窓９０Ｗが形成されている。前面枠９０の前面には、ガラス枠９５（図１を参照）が遊技窓９０Ｗに重ねて設けられている。ガラス枠９５は、前面枠９０のうちヒンジ片９１側の側縁部に回動可能に取り付けられており、遊技窓９０Ｗより一回り小さな略円形の窓９５Ｗを備えて、そこにガラス板１５０（本発明の「クリア部材」に相当する）が嵌められている。図１に示すように、ガラス枠９５の前面のうち窓９５Ｗの縁部には、前方に膨出した装飾ランプ９６が備えられている。また、窓９５Ｗよりも上側には、左右に１対のスピーカ５９Ｓ，５９Ｓが設けられている。
【００３２】
図１に示すように、遊技窓９０Ｗの下方には、パチンコ遊技機１０の前方に向かって膨出した上皿２７Ａが設けられている。また、上皿２７Ａを挟むようにして左右に１対のスピーカ５９Ｓ，５９Ｓが設けられている。
【００３３】
前面枠９０のうち、上皿２７Ａよりも下側には、下皿ユニット５０が取り付けられている。下皿ユニット５０は横長形状をなし、前面枠９０に対して開閉可能に取り付けられている。
【００３４】
下皿ユニット５０の前面中央には、パチンコ遊技機１０の前方に膨出した下皿２７Ｂが備えられている。下皿２７Ｂには、上皿２７Ａから移動した遊技球や、ファール球等が貯留される。また、下皿２７Ｂの左側方には、灰皿５１が設けられている。
【００３５】
図１に示すように、下皿２７Ｂの右側方には、操作ノブ２８が備えられている。この操作ノブ２８を操作することで、上皿２７Ａに収容された遊技球が発射装置７０（図２を参照）によって、遊技板１１に形成された後述する遊技領域Ｒ１に向けて弾き出されるようになっている。
【００３６】
図３に示すように、前面枠９０のうちヒンジ片９１と反対側の側辺には、１対の係止爪９７，９７が上下に備えられ、この係止爪９７，９７を外枠８２の被係止部８６，８６に係止して、前面枠９０が閉止状態に施錠される。
【００３７】
前面枠９０の後面には、遊技窓９０Ｗを囲むように囲壁９３が起立している。この囲壁９３の内部に後述する遊技板１１が嵌合されて前面枠９０に沿って略垂直に起立した状態となり、囲壁９３に備えた複数の係止レバー９８にて遊技板１１が前面枠９０に係脱可能に固定される。この時、遊技板１１は、前面枠９０の前面に重ねて設けられたガラス板１５０に前方を覆われる。以上が枠体８０に関する説明である。
【００３８】
次に、遊技機本体８１について説明する。遊技機本体８１は、図３に示す遊技板１１に種々の部品を組み付けてなる遊技盤側アッシと、同図に示した機構板７５に種々の部品を組み付けてなる機構板側アッシの２つのアッシよりなる。
【００３９】
機構板側アッシについて説明すると、機構板７５は、合成樹脂で構成され、図３に示すように、全体として遊技板１１より縦方向に長い矩形状をなす。機構板７５は、遊技板１１の後面側に重ねて取り付けられている。機構板７５の中央部には、略矩形の着脱操作窓７７が形成されている。この着脱操作窓７７から、遊技板１１の後面に取り付けられたメイン制御装置５２及び表示装置１３（図２を参照）が遊技板１１の後面側に露出している。この着脱操作窓７７により、機構板７５が遊技板１１の後面側に重ねられたままで、表示装置１３の後面側に備えられたケース体４０を表示装置１３に対して着脱することが可能となっている。なお、着脱操作窓７７の縁部には、図３に示すように、筐体状の透明カバー７６が着脱可能に取り付けられている。
【００４０】
図３に示すように、機構板７５のうち着脱操作窓７７より下方には、払出装置７２を制御する払出制御装置５９と電源装置５８とが横並びにして取り付けられている。また、図２に示すように、電源装置５８の下方には、発射装置７０が取り付けられている。
【００４１】
着脱操作窓７７より上側には、遊技球を貯留する遊技球タンク７５Ｔが設けられ、着脱操作窓７７の側方には遊技球を払い出すための払出装置７２が設けられている。遊技球タンク７５Ｔと払出装置７２との間は、遊技球誘導レール７５Ｒにより連絡されている。
【００４２】
図３に示すように、機構板７５のうち払出装置７２が配された側の側部には、上下方向に１対のヒンジピン７１，７１が取り付けられ、これらヒンジピン７１，７１が、前面枠９０の一側部に係合し、機構板７５が前面枠９０に対して回動可能に組み付けられる。以上が機構板側アッシの説明である。
【００４３】
次に遊技盤側アッシを構成する各部品に関して説明すると、遊技板１１は、図３に示すように、木製の概矩形板材で構成されている。また、図１に示すように、遊技板１１の前面には、ガイドレール１２が取り付けられ、ガイドレール１２の内側を遊技球が流下する。このように、遊技板１１とガラス板１５０との間には、遊技球が流下可能な遊技領域Ｒ１が形成されている。そして、遊技領域Ｒ１の上部には表示装置１３が配置され、表示装置１３の下方には、始動入賞口１４、大入賞口１０４及びアウト口１６が、上から順に間隔を開けて並べて設けられている。また、遊技領域Ｒ１のうち、表示装置１３の左側方には始動ゲート１８が設けられ、遊技領域Ｒ１の下部には、ガイドレール１２に沿って一般入賞口２０，２１が設けられている。さらに、これら入賞口以外に、遊技領域Ｒ１には、サイドランプ２２，２２や図示しない複数の障害釘が設けられている。
【００４４】
遊技板１１の前面側の各部位の詳細は、以下のようである。まず、表示装置１３は、遊技板１１に取り付けられた表示枠体３０の後側に、液晶モジュール（図示せず）を備えてなる。この液晶モジュールに備えられた液晶表示盤４５が、表示枠体３０で囲まれた表示窓３０Ｗを介して遊技板１１の前面側から視認可能となっている。なお、表示枠体３０は、遊技板１１の前面に設置される前側表示枠３２（図１を参照）と、遊技板１１の後面側に突出するベース体３３（図２を参照）とからなる。
【００４５】
一般入賞口２０，２１は、所謂、ポケット構造をなし、遊技球が丁度１つ入球可能な大きさで上方に開口している。一般入賞口２０，２１へ入球すると、その遊技球は遊技板１１の裏側に取り込まれ、代わりに所定数の賞球が上皿２７Ａに払い出される。
【００４６】
始動ゲート１８は、遊技球が潜って通過可能な門形構造をなし、通過した遊技球は、その始動ゲート１８に内蔵した普通図柄始動スイッチによって検出される。この検出信号に基づいて、普通図柄表示部１８Ｈにおいて図柄が変動表示される。
【００４７】
具体的には、「０」〜「９」までの数字からなる数字図柄を所定期間に亘って変動表示した後、所定の数字図柄を停止表示する。そして、停止表示された数字図柄が、例えば、奇数の場合に、次述する始動入賞口１４が開放状態となる。なお、普通図柄表示部１８Ｈで表示する図柄は、数字図柄に限るものではなく、アルファベットや記号等でもよい。
【００４８】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が丁度１つ入る大きさになっている。そして、開放条件が成立する（普通図柄表示部１８Ｈが奇数の数字図柄で停止表示する）と始動入賞口１４が開放状態となる。即ち、遊技板１１の裏に設けたソレノイドにより、始動入賞口１４に備えた可動翼片１４Ｃ，１４Ｃが所定期間（例えば、０．４秒）に亘って横に倒される。これにより、遊技球が可動翼片１４Ｃ，１４Ｃに案内されて始動入賞口１４に入り易い状態になる。
【００４９】
始動入賞口１４に遊技球が入賞すると、始動入賞口１４内に設けた始動口センサが遊技球を検出し、その検出信号に基づいて、例えば、４個の遊技球が上皿２７Ａに払い出されると共に、表示装置１３に備えた液晶表示盤４５にて図柄が変動表示される。
【００５０】
具体的には、液晶表示盤４５には、通常、３つの左、中、右の特別図柄が横並びに表示されている。これら各特別図柄は、例えば、「０」〜「１１」の数字を表記した複数種類のもので構成されており、通常は、各特別図柄ごと、所定の種類のものが停止表示されている。そして、始動入賞口１４に遊技球が入賞したときに、これら３つの特別図柄が、上下方向にスクロール表示され、所定時間後に、例えば、左、中、右の順で各特別図柄が停止表示される。このとき、例えば、全ての特別図柄が同じ図柄、即ち、ぞろ目になった場合に、遊技が「大当たり状態」になる。なお、液晶表示盤４５において特別図柄が変動表示又は「大当たり状態」の最中に始動入賞口１４に入賞した入賞球は、最大で４個まで保留記憶され、特別図柄が停止表示又は「大当たり状態」が終了すると、その保留記憶に基づいて再び、特別図柄が変動表示される。
【００５１】
大入賞口１０４は、横長矩形になっている。また、大入賞口１０４には、回動扉１０５が備えられている。この回動扉１０５は、大入賞口１０４の下辺側に回動中心を備えており、通常は、回動扉１０５が回動中心から概ね起立した閉塞姿勢になって、大入賞口１０４を閉塞している。そして、パチンコ遊技機１０が「大当たり状態」になると、遊技板１１の裏に設けた後述する作動手段１１２によって回動扉１０５が駆動され、前側に倒れた開放姿勢になって、大入賞口１０４を開放する。これにより、遊技球が回動扉１０５を案内にして大入賞口１０４に入賞可能となる。ここで、回動扉１０５が、開放してから閉じるまでの間を「ラウンド」と称すると、１つのラウンドは、回動扉１０５の開放時間が３０秒に達したか、又は、大入賞口１０４に遊技球が１０個入賞したかの何れかの条件が先に満たされた場合に終了する。また、「大当たり状態」は、最大で、例えば１５ラウンドまで継続される。なお、大入賞口１０４に遊技球が入賞すると、例えば、１５個の遊技球が上皿２７Ａに払い出される。以上が、パチンコ遊技機１０全体の構成に関する説明である。
【００５２】
さて、図４には、上述した大入賞口１０４を備えた大入賞口ユニット１００の外観全体が示されている。この大入賞口ユニット１００は、機構ケース１０６の前面に前側ベース部１０２を組み付けた構造になっている。
【００５３】
前側ベース部１０２は、略横長矩形の板状をなし、その四隅にはそれぞれ１つずつ螺子孔１０２Ａが貫通形成されている。また、前側ベース部１０２の後面からは１対の位置決め突部１０２Ｂ，１０２Ｂが突出している。そして、遊技板１１に貫通形成されたユニット取付孔（図示せず）に前側から機構ケース１０６を挿入し、前側ベース部１０２の後面が遊技板１１の前面に突き当てられて、位置決め突部１０２Ｂ，１０２Ｂが遊技板１１に設けた図示しない位置決め孔に凹凸係合する。この状態で、螺子孔１０２Ａに通した螺子を遊技板１１に締め付けて前側ベース部１０２が遊技板１１に固定されている。
【００５４】
前側ベース部１０２の左右の両端部からは、前方に向けて１対の前側突部１０２Ｃ，１０２Ｃが起立している。これら前側突部１０２Ｃ，１０２Ｃは、前方から見た断面形状が三角形をなしている。詳細には、前側突部１０２Ｃ，１０２Ｃのうち互いの対抗した内面は、鉛直方向と平行になっており、相反する方向を向いた外面は、上下方向の中間部分が頂点になった山形状になっている。そして、大入賞口１０４は、前側ベース部１０２のうち両前側突部１０２Ｃ，１０２Ｃに挟まれた部分を切除して形成されている。
【００５５】
両前側突部１０２Ｃ，１０２Ｃの先端面の間には、保護板部材１０１が差し渡され、この保護板部材１０１によって大入賞口１０４全体の前方が覆われている。詳細には、保護板部材１０１は、透明な樹脂（例えば、アクリル樹脂）で形成され、左右の両端部は前側突部１０２Ｃの外面の山側形状と略同一になっている。保護板部材１０１の下縁部は、左右の両端部が前側突部１０２Ｃより下方に張り出し、左右方向の中央部分に向かうに従って上方に向かうように丸みを帯びている。一方、保護板部材１０１の上縁部は、前側突部１０２Ｃの上端部と略面一になっており、左右方向に水平かつ真っ直ぐ延びている。また、図６に示すように、保護板部材１０１の上縁部には、前側ベース部１０２と対抗する側に、テーパ面１０１Ａが形成されている。
【００５６】
保護板部材１０１は、ガラス板１５０と遊技板１１との間のうちガラス板１５０寄りに位置し、大入賞口１０４の前方を通過する遊技球の流下経路が大入賞口１０４寄りになるように規制する。具体的には、ガラス板１５０と保護板部材１０１との間隔Ｓ２は、遊技球の半径未満になっている。これにより、ガラス板１５０と保護板部材１０１との間への遊技球の進入を防ぐと共に、遊技球が保護板部材１０１の乗り上がりかつガラス板１５０に当接した場合に、その遊技球の重心が保護板部材１０１より遊技板側に位置して遊技球が転落し、保護板部材１０１に乗り上がった状態で保持されることを防止することができる。
【００５７】
また、前側ベース部１０２は遊技板１１に固定された状態で遊技板１１の一部を構成している。そして、保護板部材１０１と遊技板１１（詳細には、遊技板１１の一部としての前側ベース部１０２）との間隔Ｓ１は、遊技球の直径以上、遊技球の直径の２倍未満（例えば、遊技球の直径の約１．３倍）になっている。これにより、保護板部材１０１と遊技板１１との間に２つ以上の遊技球が並んで保護板部材１０１の内側に進入することを規制し、保護板部材１０１と遊技板１１との間に、２つの遊技球が相互に当接した状態で球詰まりが生じるのを防止することができる。
【００５８】
機構ケース１０６は、透明な合成樹脂で構成され、全体として上下方向に薄くなった扁平箱形になっている。機構ケース１０６には、大入賞口１０４に連通した図示しない入賞球案内路が形成されている。この入賞球案内路は、後方に向かうに従って幅狭になっており、機構ケース１０６における前後方向の中間で機構ケース１０６の下面に開放して図示しない遊技球回収ダクトに連通している。
【００５９】
図５に示すように機構ケース１０６の後端部には、その左右方向の一端側に扉作動装置１１２（本発明に係る「作動手段」に相当する）が組み付けられている。扉作動装置１１２は、ソレノイドコイル１０８、プランジャ１０９、圧縮コイルバネ１１１及び力変換部材１１０等を組み付けて構成されている。
【００６０】
本実施形態では、この扉作動装置１１２の全体を機構ケース１０６内に収めて大入賞口ユニット１００全体をコンパクトな構成にすることで、遊技板１１の背面側における省スペース化を図っている。これにより、大入賞口ユニット１００の上方に配置された液晶表示盤４５の大型化が可能になっている。なお、液晶表示盤４５を大型化するためには、遊技板１１の背面側における上下方向の省スペース化を図ればよいので、扉作動装置１１２は、少なくとも機構ケース１０６に対して上下方向で収まる構成にすればよい。
【００６１】
以下、扉作動装置１１２の具体的な構成について説明する。扉作動装置１１２に備えたプランジャ１０９は、ソレノイドコイル１０８の内部に挿入され、ソレノイドコイル１０８の前方に突出しており、前後方向に直動可能になっている。なお、これらソレノイドコイル１０８とプランジャ１０９とで、本発明に係る「電動駆動部」が構成されている。なお、機構ケース１０６のうちソレノイドコイル１０８を収容した部分は、放熱性を考慮して、上面、下面、後面が開放されている。また、ソレノイドコイル１０８への通電用の電線は、機構ケース１０６の後端部のうち扉作動装置１１２の横隣に備えられた回路基板１０７を介して図示しない駆動制御回路に接続されている。圧縮コイルバネ１１１（本発明に係る「弾性駆動部」に相当する）は、プランジャ１０９に挿通されて、プランジャ１０９の前端部に備えたフランジ部１０９Ａと、ソレノイドコイル１０８の前面との間に収まっている。そして、ソレノイドコイル１０８に通電すると、プランジャ１０９がソレノイドコイル１０８側に引かれてプランジャ１０９が後端位置に移動し、ソレノイドコイル１０８への通電を停止すると、圧縮コイルバネ１１１の弾発力によりプランジャ１０９が前端位置に移動する。
【００６２】
力変換部材１１０は、機構ケース１０６のうちソレノイドコイル１０８の前側に配置され、プランジャ１０９の直動動作を回動動作に変換する。力変換部材１１０は、プランジャ１０９の横に隣り合わせに配置された回動板１１０Ｆの下端に回動軸部１１０Ｂを備えた構造をなし、その力変換部材１１０が機構ケース１０６の底部に軸支されて機構ケース１０６内で前後方向に回動する。また、力変換部材１１０Ｆには、プランジャ１０９側に向けて１対の係止突起１１０Ｃ，１１０Ｄが突出形成されている。これら係止突起１１０Ｃ，１１０Ｄは前後に並べられ、前側の係止突起１１０Ｄが後ろ側の係止突起１１０Ｃより長くなっている。そして、これら係止突起１１０Ｃ，１１０Ｄの間にプランジャ１０９のフランジ部１０９Ａが挟持されている。これにより、プランジャ１０９が直動するのに連動して、力変換部材１１０が前後方向に回動する。
【００６３】
図６に示すように力変換部材１１０には、前方に向けて回動アーム１１０Ａが突出している。回動アーム１１０Ａは帯板状をなし、その先端部は下側に向かって屈曲して摺接突部１１０Ｓになっており、この摺接突部１１０Ｓが次述する回動扉１０５の一部に係合する。また、回動アーム１１０Ａは、プランジャ１０９が直動ストロークの前端位置に移動したときには（即ち、ソレノイドコイル１０８への通電を停止したときには）、図６の実線で示すように回動アーム１１０Ａが略水平姿勢になり、プランジャ１０９が直動ストロークの後端位置に移動したときには（即ち、ソレノイドコイル１０８への通電時には）、図６の破線で示すように回動アーム１１０Ａの前端部が持ち上げられるように回動して回動アーム１１０Ａが傾斜姿勢になる。
【００６４】
機構ケース１０６の前端部には、前述した回動扉１０５が回動可能に備えられ、この回動扉１０５が扉作動装置１１２によって駆動可能となっている。詳細には、回動扉１０５は、図５に示すように、大入賞口１０４の左右両端部に配置されて対向した１対の側板１０５Ｂ，１０５Ｂの間に、長板部材１０５Ａを差し渡した構造をなしており、これら側板１０５Ｂ，１０５Ｂと長板部材１０５Ａとは透明な合成樹脂で一体形成されている。各側板１０５Ｂには、長板部材１０５Ａから下方に向けて軸取付部１０５Ｆが張り出し、その回動扉１０５の先端に回動軸部材１０５Ｃが貫通している。また、機構ケース１０６の底部には、前側ベース部１０２における大入賞口１０４の下側部分の後側に軸支部（図示せず）が設けられ、その軸支部に回動軸部材１０５Ｃが軸支されている。これにより、前記したように大入賞口１０４の下辺側を回動中心にして回動扉１０５が回動する。そして、回動扉１０５が大入賞口１０４を閉じた閉塞姿勢（図６の実線で示した回動扉１０５参照）と、保護板部材１０１側に倒れて大入賞口１０４を開放した開放姿勢（図６の破線で示した回動扉１０５参照）との間で回動する。
【００６５】
より具体的には、回動扉１０５が閉塞姿勢になると、長板部材１０５Ａの上縁部が大入賞口１０４の上縁部に当接し、長板部材１０５Ａの下端側が大入賞口１０４内に入り込んだ状態になって大入賞口１０４を閉塞する。また、回動扉１０５が開放姿勢になると、長板部材１０５Ａが大入賞口１０４のうち下寄り位置から前方に張り出し、このときの長板部材１０５Ａの上面が大入賞口１０４に向かって僅かに傾斜した状態になる。これにより、前述したように、遊技球が大入賞口１０４に案内される。なお、軸取付部１０５Ｆの前縁部は、凹部が形成されており、回動扉１０５が開放姿勢になると、この凹部に前側ベース部１０２における大入賞口１０４の下縁部が受容されてその凹部の奥側に当接し、回動扉１０５が開放姿勢に位置決めされる。また、両側板１０５Ｂの上端寄り位置からは、後方に向けて第１後部突片１０５Ｄが張り出している。これら第１後部突片１０５Ｄ，１０５Ｄは、図６に示すようにおり、互いに対向した内面側が傾斜しており、回動扉１０５が開放姿勢になったときに、遊技球を大入賞口１０４の中央側に案内する。
【００６６】
扉作動装置１１２の前側に配置された一方の側板１０５Ｂには、その下端寄り位置から後方に向けて第２後部突片１０５Ｅが張り出されている。この第２後部突片１０５Ｅの上縁部は、丸みを帯びて上方に膨らんだ形状になっており、扉作動装置１１２（詳細には、ソレノイドコイル１０８）への通電を停止したときには、回動アーム１１０Ａの摺接突部１１０Ｓが第２後部突片１０５Ｅの上縁部に当接して第２後部突片１０５Ｅを下方に押し下げ、回動扉１０５が閉塞姿勢に保持される。
【００６７】
一方、ソレノイドコイル１０８を通電すると、回動アーム１１０Ａが上方に移動するように回動する。すると、回動アーム１１０Ａが上方に回動し、この回転で第１後部突片１０５Ｄを押し上げる。これにより、回動扉１０５が開放姿勢側に回動し、途中で回動アーム１１０Ａが第１後部突片１０５Ｄから離れて、その後は自重により、回動扉１０５が開放姿勢まで回動する。
【００６８】
このように、本実施形態では、回動扉１０５が途中から自重で開放姿勢まで回動するので、回動扉１０５が全回動範囲で扉作動装置１１２からのトルクで回動する場合に比べて、回動アーム１１０Ａを短くすることができると共に、プランジャ１０９の直動ストロークを短くすることができて、扉作動装置１１２のコンパクト化が図られる。
【００６９】
なお、回動扉１０５における重心位置を回動軸部材１０５Ｃより前側に配置することで、第１後部突片１０５Ｄが回動アーム１１０Ａに押し上げられる前に、自重で回動扉１０５が回動するように構成してもよい。
【００７０】
回動扉１０５が開放姿勢になってから、ソレノイドコイル１０８の通電を停止すると、圧縮コイルバネ１１１の弾発力により回動アーム１１０Ａが下方に倒れ、回動アーム１１０Ａの摺接突部１１０Ｓが第２後部突片１０５Ｅの上縁部に当接する。そして、摺接突部１１０Ｓが第２後部突片１０５Ｅの上縁部を摺動しながら、回動アーム１１０Ａが第２後部突片１０５Ｅを押し下げていき、回動扉１０５が閉塞姿勢に戻される。このように、扉作動装置１１２から回動扉１０５に付与されるトルクにより、回動扉１０５が閉塞姿勢と開放姿勢との間で回動する。なお、保護板部材１０１は透明であるので、保護板部材１０１を通して回動扉１０５が回動する状態を視認するとができる。
【００７１】
ところで、上記したように本実施形態のパチンコ遊技機１０が「大当たり状態」になると、回動扉１０５が開閉を繰り返す。そして、従来の遊技機では、回動扉１０５が開放姿勢から閉塞姿勢に移動する過程で、保護板部材１０１と回動扉１０５の先端との間の距離が遊技球の半径以上かつ直径未満になった場合に、開放姿勢と閉塞姿勢との間の中間姿勢の回動扉１０５に遊技球が乗り上がって球詰まりが生じ得た。
【００７２】
しかしながら、本実施形態のパチンコ遊技機１０では、回動扉１０５に付与されるトルクに対して、以下詳説するように、回動扉１０５の回動半径を特種な設定にすることで、球詰まりが防がれている。
【００７３】
以下、回動扉１０５の回動半径と、回動扉１０５に付与されるトルクとの関係を説明するために、図７に示すように、扉作動装置１１２が回動扉１０５に付与可能な最大のトルクをＴとし、回動扉１０５の回動半径をＬとし、保護板部材１０１と回動扉１０５の先端との間の距離が遊技球の半径以上かつ直径未満になった場合における回動扉１０５と水平面とがなす回動角をθとし、遊技球の質量をＭとし、重力加速度をｇとし、回動扉１０５と遊技球との間の摩擦係数をμとし、遊技球が自重により回動扉１０５に付与する力Ｆ１とし、扉作動装置１１２が回動扉１０５に付与する力をＦ２とする。
【００７４】
ここで、扉作動装置１１２が回動扉１０５に付与するトルクは、設計上、或いは、回動扉１０５に実際に付与されたトルクを計測して求めることができる。回動扉１０５の回動半径とは、回動扉１０５が中間姿勢で遊技球と当接した状態での、回動扉１０５の先端と回動扉１０５の回動中心との間の直線距離である。また、回動扉１０５の自重は遊技球に比べて十分小さいので無視する。
【００７５】
さて、開放姿勢と閉塞姿勢との間の中間姿勢の回動扉１０５に遊技球が乗り上がって球詰まりを生じる場合として、回動扉１０５の先端が、遊技球の重心の略鉛直下方に位置に当接する第１パターン（図８（Ａ）参照）と、回動扉１０５の先端が、遊技球の重心の鉛直下方からずれた位置に当接する第２パターン（図８（Ｂ）参照）とに分けることができる。
【００７６】
すると、第１パターンのように、回動扉１０５の先端が、遊技球の重心の略鉛直下方に位置に当接した場合（図８（Ａ）参照）は、遊技球が回動扉１０５に付与する力Ｆ１は、下記式（１０）になるか或いは下記式（１０）に近似する。
Ｆ１＝Ｍ・ｇ・ｃｏｓθ  ・・・・・・（１０）
【００７７】
一方、第２パターンのように、回動扉１０５の先端が、遊技球の重心の鉛直下方からずれた位置に当接した場合（図８（Ｂ）参照）は、遊技球が回動扉１０５に付与する力Ｆ１は、下記式（１１）になるか或いは下記式（１１）に近似する。
Ｆ１＝μ・Ｍ・ｇ・ｓｉｎθ    ・・・・・・・・（１１）
【００７８】
また、扉作動装置１１２が回動扉１０５に付与する力Ｆ２は、次式（１２）として求めることができる。
Ｆ２＝Ｔ／Ｌ                  ・・・・・・・・（１２）
【００７９】
そして、本実施形態では、第１パターンにおける球詰まりが生じた場合には次式（１３）が成立し、第２パターンにおける球詰まりが生じた場合には次式（１４）が成立する。
Ｔ／Ｌ＝Ｍ・ｇ・ｃｏｓθ          ・・・・・・（１３）
Ｔ／Ｌ＝μ・Ｍ・ｇ・ｓｉｎθ          ・・・・（１４）
【００８０】
これに対し、本実施形態の回動扉１０５における回動半径Ｌは、次式（１５）（１６）の関係式が成立するように設定されている。
Ｌ＜Ｔ／（Ｍ・ｇ・ｃｏｓθ）      ・・・・・・（１５）
Ｌ＜Ｔ／（μ・Ｍ・ｇ・ｓｉｎθ）    ・・・・・（１６）
【００８１】
これにより、第１及び第２のパターンになった場合に、扉作動装置１１２が回動扉１０５に付与するトルクが勝り、回動扉１０５が閉塞姿勢まで閉じられる。即ち、回動扉１０５の先端に遊技球が乗り上がる球詰まりを解消することができる。
【００８２】
このように本実施形態のパチンコ遊技機１０によれば、保護板部材１０１と回動扉１０５の先端との間の距離が、遊技球の半径以上かつ直径未満となったときに、扉作動装置１１２が回動扉１０５に付与する力が、遊技球が自重により回動扉１０５に付与する力より大きくなるように回動扉１０５の回動半径Ｌを設定したので、中間姿勢の回動扉１０５の先端に遊技球が乗り上がっても、回動扉１０５は確実に閉塞姿勢まで回動する。これにより、保護板部材１０１の内側における球詰まりを防止することができる。
【００８３】
また、回動扉１０５の回動半径は、扉作動装置１１２が回動扉１０５に付与するトルクに応じて設定したので、扉作動装置１１２が回動扉１０５に出力するトルクを有効に利用することができる。これにより、扉作動装置１１２の大型化を防ぐことができ、その分を、例えば、液晶表示盤４５等を大型化することができる。
【００８４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８５】
（１）前記実施形態において、回動扉１０５の先端と保護板部材１０１との間の距離が遊技球の直径以上になったときには、遊技球が回動扉１０５と保護板部材１０１との間を通過するので球詰まりが生じ難い。そこで、回動扉１０５が中間姿勢でありかつ、回動扉１０５の先端と保護板部材１０１との間の距離が遊技球の直径以上になったときの所定の位置で回動扉１０５と水平面とがなす回動角をθ１とした場合に、次式（１７）が成立するように回動扉１０５の回動半径Ｌを設定してもよい。
Ｌ＝Ｔ／（Ｍ・ｇ・ｃｏｓθ１）  ・・・・・（１７）
【００８６】
これにより、球詰まりを生じ難い姿勢で、扉作動装置１１２から回動扉１０５に過剰にトルクを付与することを防ぐことができる。
【００８７】
（２）また、前記実施形態では、回動扉１０５が、閉塞姿勢から開放姿勢に向かう中間姿勢となりかつ、保護板部材１０１と回動扉１０５の先端との間の距離が、遊技球の半径以上かつ直径未満となったときに、扉作動装置１１２が回動扉１０５に付与する力Ｆ２が、遊技球が自重により回動扉１０５に付与する力Ｆ１より必ず大きくなるように、回動扉１０５の回動半径が設定されていたが、それとは逆に、遊技球が自重により回動扉１０５に付与する力Ｆ１が、扉作動装置１１２が回動扉１０５に付与する力Ｆ２より必ず大きくなるように、回動扉１０５の回動半径を設定してもよい。
【００８８】
（３）さらに、扉作動装置１１２が回動扉１０５に付与する力と、遊技球が自重により回動扉１０５に付与する力とのうち一方が必ず他方より大きくなるように、回動扉１０５の回動半径Ｌを設定する構成であれば、前記式（１５）又は（１６）の何れか一方のみを満たす構成にしてもよい。
【００８９】
（４）また、前記実施形態では、回動扉１０５の自重を無視したが、回動扉１０５の自重を考慮した場合には以下のようになる。即ち、図９に示すように、回動扉１０５の質量をｍ、回動扉１０５の回動中心から重心Ｇまでの距離をＬｇ、回動扉１０５の重心Ｇと回動中心とを結ぶ線分と水平面とがなす角をθ２とすると、上記式（１５）〜（１７）は、以下の式（１８）〜（２０）のようになる。これら式（１８）〜（２０）のうち少なくとも何れか１つが成立するように回動扉１０５の回動半径Ｌを設定してもよい。
Ｌ＜Ｔ／（Ｍ・ｇ・ｃｏｓθ＋ｍ・ｇ・Ｌｇ・ｃｏｓθ２）    ・・・・（１８）
Ｌ＜Ｔ／（μ・Ｍ・ｇ・ｓｉｎθ＋ｍ・ｇ・Ｌｇ・ｃｏｓθ２）  ・・・（１９）
Ｌ＝Ｔ／（Ｍ・ｇ・ｃｏｓθ１＋ｍ・ｇ・Ｌｇ・ｃｏｓθ２）  ・・・・（２０）
【００９０】
（５）さらに、遊技球が保護板部材１０１から受ける抗力を考慮した場合、その効力をＲとし、抗力Ｒと水平面とがなす角をαとし、回動扉１０５の先端と、次式（２１）が成立するように回動扉１０５の回動半径Ｌを設定してもよい。
Ｌ≦（Ｔ−ｍ・ｇ・Ｌｇ・ｃｏｓθ２ ）／［（Ｍ・ｇ−Ｒ・ｓｉｎα）・ｃｏｓθ−Ｒ・ｃｏｓα・ｓｉｎθ］      ・・・（２１）
【００９１】
（６）前記実施形態では、回動扉１０５が閉塞姿勢から開放姿勢に向かって回動する過程で、力変換部材１１０の回動アーム１１０Ａと回動扉１０５の上側突片１０５Ｄとの当接が解除されたが、回動扉１０５が開放姿勢に至るまで継続して当接してもよい。
【００９２】
（７）前記実施形態では、電動駆動部を扉駆動装置１０８としたが、モータ等にしてもよい。また、弾性駆動部を圧縮コイルバネ１１１としたが、ゴム等にしてもよい。
【００９３】
（８）前記実施形態では、扉作動装置１１２の全体が機構ケース１０６内に収められていたが、少なくともソレノイドコイル１０８が機構ケース１０６に収容され、扉作動装置１１２を構成する他の部品が機構ケース１０６から突出した構成にしてもよい。
【図面の簡単な説明】
【００９４】
【図１】本発明の一実施形態に係るパチンコ遊技機の正面図
【図２】パチンコ遊技機の背面図
【図３】パチンコ遊技機の分解斜視図
【図４】大入賞口ユニットの斜視図
【図５】大入賞口ユニットの部分平面図
【図６】大入賞口ユニットの断面図
【図７】大入賞口ユニットの部分断面図
【図８】（Ａ）回動扉の先端が、遊技球の重心の略鉛直下方に位置に当接した状態の概念図（Ｂ）回動扉の先端が、遊技球の重心の鉛直下方からずれた位置に当接した状態の概念図
【図９】他の実施形態（４）に係る大入賞口ユニットの抜粋断面図
【図１０】従来のパチンコ遊技機の部分断面図
【図１１】回動扉とガラス板との間に遊技球が噛み込んだ状態の部分断面図
【図１２】回動扉の先端に遊技球が乗り上げて球詰まりが生じた状態の部分断面図
【符号の説明】
【００９５】
１０    パチンコ遊技機（遊技機）
１１    遊技板
１００    大入賞口ユニット
１０１    保護板部材
１０４    大入賞口（入賞口）
１０５    回動扉
１０５Ｃ    回動軸（回動中心）
１０８    ソレノイドコイル（電動駆動部）
１０９    プランジャ（電動駆動部）
１１０    力変換部材
１１１    圧縮コイルバネ（弾性駆動部）
１１２    扉作動装置（作動手段）
１５０    ガラス板（クリア部材）
【図１】
2008296058.tif 000003
【図２】
2008296058.tif 000004
【図３】
2008296058.tif 000005
【図４】
2008296058.tif 000006
【図５】
2008296058.tif 000007
【図６】
2008296058.tif 000008
【図７】
2008296058.tif 000009
【図８】
2008296058.tif 000010
【図９】
2008296058.tif 000011
【図１０】
2008296058.tif 000012
【図１１】
2008296058.tif 000013
【図１２】
2008296058.tif 000014